(57)【要約】【課題】バンド長さ調整及び中留構造の開放作業において、一般使用者が爪や指先などを痛めることなく、簡単かつ容易に作業を行うことができるようにしたバンドの中留構造を提供する。【解決手段】中留構造を構成する下側連結板５と上側連結板７との開閉はプッシュボタン１１，１１の押圧操作により行い、バンド長さ調整は、下側連結板５と上側連結板７とを広げた状態において、下側連結板５を回動させることにより行う。【選択図】図５
0003164174.tif 000002
【実用新案登録請求の範囲】
【請求項１】
両側板と底板とからなる外枠に一方のバンドを入れ、前記両側板間に支持軸を設け、該支持軸に回動可能に設けた下側連結板の一端の下側面部によって、前記一方のバンドを前記底板に加圧して外枠に固定し、
前記下側連結板の他端に、回動可能に上側連結板の一端を連結し、
前記上側連結板の他端に、他方のバンドが設けられかつプッシュボタンボックスが設けられた表蓋を回動可能に設け、
前記プッシュボタンボックスのプッシュボタンに、前記下側連結板に立設されて前記上側連結板を貫通する係止部に係脱する係合部を設け、
前記下側連結板上に前記上側連結板を折り畳んだ状態で前記プッシュボタンの前記係合部と前記下側連結板の前記係止部とを係合し、
前記プッシュボタンを押圧操作することにより前記係合部と前記係止部との係合を解除して前記下側連結板と前記上側連結板とを回動させて前記下側連結板と前記上側連結板とを広げ、
前記広げた状態で前記下側連結板を回動させることにより、前記下側連結板の一端の下側面部による前記一方のバンドの前記底板に対する加圧を解放し、前記外枠に対して前記一方のバンドの摺動を可能にしてバンドの長さ調整を行うことを特徴とするバンドの中留構造。
【考案の詳細な説明】
【技術分野】
【０００１】  本考案は、時計バンドや装飾品用のバンドに適用され、一対のバンド端部を連結し、かつ長さ調整機構を備えた中留構造に関する。
【背景技術】
【０００２】  従来のバンドの長さ調整構造としては、各種のものが提案され実施されてきている。通常、バンドを構成する駒体の数を減らすようにする駒落とし機構が付いたものが一般的であるが、この場合、駒体を取り外す作業が冶具を使用するなど煩雑であって、一般使用者にとっては、バンド購入後にバンドの長さ調整を行うことは容易ではなかった。【０００３】  さらに、バンド長さ調整構造として、バンド調整用の小さな部材を、治具を使用したり、あるいは使用者の指先や爪で引っ掛けたりする作業を要する構造のものであるため、時として、使用者が指先を痛めたり、爪を割ったりするなどの不具合を生じることがあった。【０００４】  前記課題を解決するため、特許文献１に記載の中留構造のように、バンドの長さ調整を、いわゆる二つ折れ中留の下側の連結板を回動させ、バンドを挟圧している突部を外すことにより、バンドを中留の主枠に対して摺動させ、バンド長さ調整を行うようにするものがある。
【先行技術文献】
【特許文献】
【０００５】
【特許文献１】実公昭５８−４７８６５号公報
【考案の概要】
【考案が解決しようとする課題】
【０００６】  特許文献１に記載の二つ折れ中留構造では、バンドの構成部材の中で、比較的大きく長い部材である連結板を回動させてバンド長さ調整を行うため、治具を用いずに使用者が指先で容易に長さ調整を行うことができる。【０００７】  しかしながら、特許文献１に記載の構造では、中留構造を開くために、上側の連結板に連結する蓋板の先端部分を、爪や指先でこじ開ける作業が必要な構造になっている。このため、中留構造を開く時に、蓋板の先端で指先を痛めたり、爪を割ったりする恐れがあるという課題がある。【０００８】  そこで本考案は、前記従来の課題を解決し、バンド長さ調整及び中留構造の開放作業において、一般使用者が爪や指先などを痛めることなく、簡単かつ容易に作業を行うことができるようにしたバンドの中留構造を提供することを目的とする。
【課題を解決するための手段】
【０００９】  本考案のバンドの中留構造は、両側板と底板とからなる外枠に一方のバンドを入れ、前記両側板間に支持軸を設け、該支持軸に回動可能に設けた下側連結板の一端の下側面部によって、前記一方のバンドを前記底板に加圧して外枠に固定し、前記下側連結板の他端に、回動可能に上側連結板の一端を連結し、前記上側連結板の他端に、他方のバンドが設けられかつプッシュボタンボックスが設けられた表蓋を回動可能に設け、前記プッシュボタンボックスのプッシュボタンに、前記下側連結板に立設されて前記上側連結板を貫通する係止部に係脱する係合部を設け、前記下側連結板上に前記上側連結板を折り畳んだ状態で前記プッシュボタンの前記係合部と前記下側連結板の前記係止部とを係合し、前記プッシュボタンを押圧操作することにより前記係合部と前記係止部との係合を解除し、前記下側連結板と前記上側連結板とを回動させて前記下側連結板と前記上側連結板とを広げ、前記広げた状態で前記下側連結板を回動させることにより、前記下側連結板の一端の下側面部による前記一方のバンドの前記底板に対する加圧を解放し、前記外枠に対して前記一方のバンドの摺動を可能にしてバンドの長さ調整を行うことを特徴とする。
【考案の効果】
【００１０】  本考案のバンドの中留構造によれば、中留構造を構成する下側連結板と上側連結板との開閉はプッシュボタンの押圧操作により行うことができ、バンド長さ調整は、下側連結板と上側連結板とを広げた状態で下側連結板を回動させることにより行うことができるため、いずれの操作／作業は、一般使用者が爪や指先などを痛めることなく、簡単かつ容易に行うことができる。
【図面の簡単な説明】
【００１１】
【図１】本考案の好適な実施の形態であるバンドの中留構造の断面図である。
【図２】本実施の形態のバンドと中留構造の分解斜視図である。
【図３】本実施の形態における中留の分解斜視図である。
【図４】本実施の形態におけるバンドの中留閉鎖状態を示す斜視図である。
【図５】本実施の形態におけるバンドの中留開放状態を示す斜視図である。
【図６】本実施の形態におけるバンドの長さ調整を説明するための断面図である。
【図７】本実施の形態におけるバンドの中留開放状態の全体を示す断面図である。
【考案を実施するための形態】
【００１２】  以下に本考案の好適な実施形態を図面にて説明する。
【００１３】  図１〜図７において、１，２は一対のバンド、３は両側板３ａと底板３ｂとからなる外枠、４は、両側板３ａ間に装着されて、二つ折れ連結部材の下側連結板５の一端を回動可能に支持する支持軸、５ａは下側連結板５の一端に形成された下側突出面、５ｂは下側連結板５に立設された係止部、６は、底板３ｂに対向して一方のバンド１の端部が挿入される隙間を形成するように、外枠３の両側板３ａに両側部が係止された敷板、７は一端がピン１２により下側連結板５の他端に回動可能に連結された上側連結板、８は他方のバンド２の端部を支持する表蓋、９は上側連結板７の他端を表蓋８に回動可能に支持する公知のバネ棒である。
【００１４】  １０は、表蓋８の内側に固定され、一対のプッシュボタン１１が摺動可能に内設されている公知の構造のプッシュボタンボックスであって、両プッシュボタン１１の外端部が表蓋８の両側の孔部８ａから突出して、外部から押圧操作が可能になっており、プッシュボタンボックス１０の内部には、プッシュボタン１１に設けられた係合部１１ａが配設されており、この係合部１１ａが上側連結板７の通孔７ａを貫通する下側連結板５の係止部５ｂに係脱可能になっている。プッシュボタン１１には、図示しないバネにより外方への付勢力が加わっている。
【００１５】  図１，図４において、外枠３の底板３ｂと敷板６との間の隙間に一方のバンド１の端部が挿入され、下側連結板５の下側突出面５ａによって、敷板６を介して一方のバンド１を底板３ｂに加圧し、バンド１の端部が外枠３に固定されている。さらに、下側連結板５上に上側連結板７を折り畳んだ状態で、プッシュボタン１１の係合部１１ａと下側連結板５の係止部５ｂとが係合して、両バンド１，２が連結固定されている。
【００１６】  使用者が、二つ折れ連結部材を開放してバンドを腕などから取り外すには、使用者はプッシュボタン１１を内方へ押圧する。これにより、図５に示すように、プッシュボタン１１の係合部１１ａと下側連結板５の係止部５ｂとの係合が解除され、表蓋８を上方へ持ち上げるようにすることにより、図７に示すように、二つ折れ連結部材の下側連結板５と上側連結板７とが広がるように回動して、両バンド１，２の端部間が離れる。
【００１７】  バントの長さ調整は、図５に示す状態において、使用者が、下側連結板５を図６（ａ）に示すように、バンド１から引き起こすように回動させる。このことにより、下側連結板５の一端が支持軸４を中心に回動（図では反時計方向）すると共に、下側連結板５の下側突出面５ａも回動し、下側突出面５ａによるバンド１に対する外枠３の底板３ｂへの加圧が解除される。これによりバンド１の端部が、図６（ｂ）に示すように、フリーの状態になり、バンド１を外枠３に対して摺動して任意の長さに設定することで長さ調整を行うことができる。
【００１８】  前記バンド長さ調整後には、使用者が、下側連結板５を逆方向（図では時計方向）に回動させる。このことにより、下側連結板５の一端が支持軸４を中心に回動し、図６（ｃ）に示すように、下側連結板５の下側突出面５ａが再びバンド１を外枠３の底板３ｂへ加圧することになり、バンド１の端部が外枠３に固定される。
【産業上の利用可能性】
【００１９】  本考案は、各種バンド類、特に装身具などの身体に着ける各種のバンドの中留に適用される。
【符号の説明】
【００２０】１，２  バンド
３  外枠
３ａ  両側板
３ｂ  底板
４  支持軸
５  下側連結板
５ａ  下側突出面
５ｂ  係止部
６  敷板
７  上側連結板
７ａ  通孔
８  表蓋
８ａ  孔部
１０  プッシュボタンボックス
１１  プッシュボタン
１１ａ  係合部
１２  ピン
【図１】
0003164174.tif 000003
【図２】
0003164174.tif 000004
【図３】
0003164174.tif 000005
【図４】
0003164174.tif 000006
【図５】
0003164174.tif 000007
【図６】
0003164174.tif 000008
【図７】
0003164174.tif 000009